(57)【特許請求の範囲】
【請求項１】
回線とデータの授受を行う通信手段と、
所定の電源オフ条件が成立した場合に、前記通信手段への電源供給をオフする電源オフ手段と、
前記通信手段による前記回線とのデータの授受のための所定の設定がなされているか否かを判断する判断手段と、
前記通信手段による前記回線とのデータの授受に用いられる電話番号を登録できる情報登録手段と、
を備え、
前記判断手段は、前記情報登録手段に前記電話番号が登録されているか否かを判断し、
前記電源オフ手段は、前記判断手段により前記電話番号が登録されていると判断された場合には、前記電源供給のオフを行わない、
ことを特徴とする通信装置。
【請求項２】
前記電話番号は、当該通信装置の電話番号であることを特徴とする請求項１に記載の通信装置。
【請求項３】
前記電話番号は、短縮ダイヤル又はワンタッチダイヤルの相手先電話番号であることを特徴とする請求項１に記載の通信装置。
【請求項４】
前記電話番号は、受信可否を判断するための相手先電話番号であることを特徴とする請求項１に記載の通信装置。
【請求項５】
前記所定の電源オフ条件は、現在時刻が所定時刻になったことであることを特徴とする請求項１から４のいずれか１項に記載の通信装置。
【請求項６】
前記判断手段は、前記通信手段と前記回線との間の接続がなされているか否かを判断し、
前記電源オフ手段は、前記判断手段により前記接続がなされていると判断された場合には、前記電源供給のオフを行わない、
ことを特徴とする請求項１から５のいずれか１項に記載の通信装置。
【請求項７】
前記回線の回線電圧を検出するための回線電圧検出手段をさらに備え、
前記判断手段は、前記回線電圧検出手段により前記回線電圧が検出されるか否かを判断し、
前記電源オフ手段は、前記判断手段により前記回線電圧が検出されると判断された場合には、前記電源供給のオフを行わない、
ことを特徴とする請求項１から６のいずれか１項に記載の通信装置。
【請求項８】
回線とデータの授受を行う通信手段を有する通信装置の制御装置であって、
所定の電源オフ条件が成立した場合に、前記通信手段への電源供給をオフする電源オフ手段と、
前記通信手段による前記回線とのデータの授受のための所定の設定がなされているか否かを判断する判断手段と、
前記通信手段による前記回線とのデータの授受に用いられる電話番号を登録できる情報登録手段と、
を備え、
前記判断手段は、前記情報登録手段に前記電話番号が登録されているか否かを判断し、
前記電源オフ手段は、前記判断手段により前記電話番号が登録されていると判断された場合には、前記電源供給のオフを行わない、
ことを特徴とする制御装置。
【発明の詳細な説明】
【技術分野】
【０００１】
本発明は、通信装置および制御装置に関する。
【背景技術】
【０００２】
近来、省エネルギー化のため欧州では、エネルギー使用製品はＥｕＰ指令（Ｄｉｒｅｃｔｉｖｅ  ｏｎ  Ｅｃｏ−Ｄｅｓｉｇｎ  ｏｆ  Ｅｎｅｒｇｙ−ｕｓｉｎｇ  Ｐｒｏｄｕｃｔｓ）Ｌｏｔ６の規格を満足する必要がある。この規格によると、装置は、パワーマネージメント機能を有する必要がある。具体的には、装置は、一定時間の間、当該装置に対する操作が無い場合には、自動的にオフモードに移行しなければならない。
【０００３】
なお、特許文献１には、回線閉結時から予め設定した安定時間経過時に、回線電圧監視手段が検出する回線電圧が、予め設定した所定電圧以下であると回線接続不良と判定し、接続不良通報を行う電話装置が記載されている。
【先行技術文献】
【特許文献】
【０００４】
【特許文献１】特開平７−２７３８６６号公報
【発明の概要】
【発明が解決しようとする課題】
【０００５】
通信機能を有する装置では、操作が一定時間無い場合など、所定の電源オフ条件が成立した場合に自動的に電源がオフになると、受信を行うことができなくなってしまう。このため、通信機能を有する装置（例えばファクシミリ機能を有する複合機）には、自動的に電源がオフにならない設定を有するものがある。このような装置では、ユーザはあらためて当該設定を行う必要があり、操作が煩雑である。
【０００６】
本発明は、特別なユーザの操作を必要とせずに、自動的な電源のオフによる受信不能を回避することが可能な通信装置および制御装置を提供することを目的とする。
【課題を解決するための手段】
【０００７】
本発明に係る通信装置は、
回線とデータの授受を行う通信手段と、
所定の電源オフ条件が成立した場合に、前記通信手段への電源供給をオフする電源オフ手段と、
前記通信手段による前記回線とのデータの授受のための所定の設定がなされているか否かを判断する判断手段と、
前記通信手段による前記回線とのデータの授受に用いられる電話番号を登録できる情報登録手段と、
を備え、
前記判断手段は、前記情報登録手段に前記電話番号が登録されているか否かを判断し、
前記電源オフ手段は、前記判断手段により前記電話番号が登録されていると判断された場合には、前記電源供給のオフを行わない、
ことを特徴とする。
【０００８】
また、本発明に係る制御装置は、
回線とデータの授受を行う通信手段を有する通信装置の制御装置であって、
所定の電源オフ条件が成立した場合に、前記通信手段への電源供給をオフする電源オフ手段と、
前記通信手段による前記回線とのデータの授受のための所定の設定がなされているか否かを判断する判断手段と、
前記通信手段による前記回線とのデータの授受に用いられる電話番号を登録できる情報登録手段と、
を備え、
前記判断手段は、前記情報登録手段に前記電話番号が登録されているか否かを判断し、
前記電源オフ手段は、前記判断手段により前記電話番号が登録されていると判断された場合には、前記電源供給のオフを行わない、
ことを特徴とする。
【発明の効果】
【０００９】
本発明によれば、特別なユーザの操作を必要とせずに、自動的な電源のオフによる受信不能を回避することが可能な通信装置および制御装置を提供することができる。
【図面の簡単な説明】
【００１０】
【図１】実施の形態１に係る通信装置の構成を示すブロック図である。
【図２】通信装置を含むシステムの全体を示す斜視図である。
【図３】回線Ｉ／Ｆ部の構成を示すブロック図である。
【図４】ハイブリットネットワークの構成を示す図である。
【図５】制御部の構成を示すブロック図である。
【図６】実施の形態１における制御部の動作を示すフローチャートである。
【図７】実施の形態２における制御部の動作を示すフローチャートである。
【発明を実施するための形態】
【００１１】
以下、本発明の実施の形態を図面に従って説明する。
実施の形態１．
図１は、実施の形態１に係る通信装置１の構成を示すブロック図である。この通信装置１は、回線（または回線網）２と通信する通信端末装置である。具体的には、通信装置１は、ユーザに対して複数の機能を提供可能な装置であり、通信機能の他に、ユーザからの操作に応じて処理を実行する１つ以上の機能を有する。ここでは、通信装置１は、通信機能としてのファクシミリ機能と、コピー機能およびプリンタ機能のうち少なくとも１つの機能とを有する複合機である。また、ここでは、回線２は電話回線である。
【００１２】
図１において、通信装置１は、読取部１０、印刷部１１、表示部１２、操作部１３、画メモリ１４、符号化／復号化部１５、通信部１６、不揮発性記憶部１９、ＲＡＭ（Ｒａｎｄｏｍ  Ａｃｃｅｓｓ  Ｍｅｍｏｒｙ）２０、電源部２１、制御部２２、およびデータバス２３を有する。
【００１３】
読取部１０は、ファクシミリ送信対象やコピー対象の原稿を読み取って画像データに変換する。
【００１４】
印刷部１１は、画像を印刷する。具体的には、印刷部１１は、読取部１０により得られた画像データや、通信部１６により受信された画像データを印刷する。
【００１５】
表示部１２は、通信装置１の動作状況などの情報を表示するものであり、例えば液晶ディスプレイ（ＬＣＤ：Ｌｉｑｕｉｄ  Ｃｒｙｓｔａｌ  Ｄｉｓｐｌａｙ）や発光ダイオード（ＬＥＤ：Ｌｉｇｈｔ  Ｅｍｉｔｔｉｎｇ  Ｄｉｏｄｅ）を備える。
【００１６】
操作部１３は、通信装置１に対するユーザからの操作を受け付けるためのユーザインタフェースであり、テンキーや、各種動作を開始または停止させるためのスタート／ストップキー等で構成される。
【００１７】
画メモリ１４は、画像データを蓄積するメモリである。具体的には、画メモリ１４は、読取部１０により読み取られたファクシミリ送信対象の画像データである送信画情報や、通信部１６によりファクシミリ受信された画像データである受信画情報などを記憶する。
【００１８】
符号化／復号化部１５は、画メモリ１４に記憶された送信画情報をＭＨ（Ｍｏｄｉｆｉｅｄ  Ｈｕｆｆｍａｎ  ｃｏｄｉｎｇ）、ＭＲ（Ｍｏｄｉｆｉｅｄ  ＲＥＡＤ：Ｒｅｌａｔｉｖｅ  Ｅｌｅｍｅｎｔ  Ａｄｄｒｅｓｓ  Ｄｅｓｉｇｎａｔｅ）、ＭＭＲ（Ｍｏｄｉｆｉｅｄ  Ｍｏｄｉｆｉｅｄ  ＲＥＡＤ：Ｒｅｌａｔｉｖｅ  Ｅｌｅｍｅｎｔ  Ａｄｄｒｅｓｓ  ｄｅｓｉｇｎａｔｅ）符号化方式等の所定の符号化方式で圧縮する。また、符号化／復号化部１５は、画メモリ１４に記憶された受信画情報をＭＨ、ＭＲ、ＭＭＲ復号化方式等の所定の復号化方式で伸長する。
【００１９】
通信部１６は、回線２とデータの授受を行う。図１の例では、通信部１６は、モデム１７および回線Ｉ／Ｆ部１８を含む。
【００２０】
モデム１７は、符号化／復号化部１５により得られた送信用のファクシミリデータを変調して回線Ｉ／Ｆ部１８に出力する。また、モデム１７は、回線Ｉ／Ｆ部１８により受信されたファクシミリデータを復調して、受信画情報を画メモリ１４に格納する。
【００２１】
回線Ｉ／Ｆ部１８は、回線２とデータの授受を行う通信インタフェースである。具体的には、回線Ｉ／Ｆ部１８は、モデム１７からの変調されたファクシミリデータを回線２に送信する。また、回線Ｉ／Ｆ部１８は、回線２からファクシミリデータを受信してモデム１７に送る。回線Ｉ／Ｆ部１８は、制御部２２からの制御により、発着呼の際に所定の網制御を行う。
【００２２】
不揮発性記憶部１９は、各種制御プログラムなどの情報を記憶する読み書き可能な不揮発性のメモリであり、例えばフラッシュＲＯＭである。また、不揮発性記憶部１９は、通信部１６による回線２とのデータの授受（例えばファクシミリの送信や受信）に用いられる情報を登録できる情報登録部１９１を含む。具体的には、情報登録部１９１は、操作部１３等を介してユーザからの情報の登録を受け、当該情報を記憶する。情報登録部１９１に登録される上記情報としては、例えば、通信相手先の宛先情報や自装置情報がある。宛先情報としては、例えば、短縮ダイヤルやワンタッチダイヤル等の相手先電話番号や、電話着信時にナンバーディスプレイ等の交換機から送信される相手先電話番号により受信可否を判断するための相手先電話番号がある。自装置情報としては、例えば、自装置（当該通信装置１）の電話番号がある。
【００２３】
ＲＡＭ２０は、各種のデータを記憶するメモリであり、通信装置全体の制御におけるワークエリア等に使用される。
【００２４】
電源部２１は、通信装置１の外部の電源（外部電源）３から電力の供給を受けて、通信装置１の各部に電力を供給する。ここでは、電源部２１は、外部電源３としてのＡＣ電源（具体的には商用電源）に接続され、ＡＣ電源からのＡＣ出力をＤＣ出力に変換して通信装置１の各部に供給する低圧電源であり、各部の動作の電源となる。
【００２５】
制御部２２は、通信装置１の全体を制御する。具体的には、制御部２２は、中央処理装置（ＣＰＵ：Ｃｅｎｔｒａｌ  Ｐｒｏｃｅｓｓｉｎｇ  Ｕｎｉｔ）を有し、ＲＡＭ２０をワークエリアとして使用しながら、不揮発性記憶部１９に記憶された各種制御プログラムに従って通信装置全体を制御する。制御部２２は、所定の電源オフ条件が成立した場合に、通信部１６または各部への電源供給を自動的に（すなわちユーザの電源オフ操作によらずに）オフする自動電源切断機能を有する。この機能については、後に詳しく説明する。
データバス２３は、上記通信装置１の各部を互いに接続する。
【００２６】
図２は、通信装置１を含むシステムの全体を示す斜視図である。図２に示されるように、通信装置１は、通信ケーブル４を介して回線２のコネクタ２ｃと接続され、電源ケーブル５を介して外部電源３としてのＡＣ電源に接続される。
【００２７】
図３は、回線Ｉ／Ｆ部１８の構成を示すブロック図である。図３において、回線Ｉ／Ｆ部１８は、端子Ｌ１，Ｌ２、雷サージ保護素子１８１、ダイオードブリッジ１８２、回線網側回路１８３、絶縁受渡部１８４、および制御部側回路１８５を有する。具体的には、回線Ｉ／Ｆ部１８は、回線網側回路１８３と、制御部側回路１８５と、これら２つの回路間を直流的に絶縁するとともにデータや信号などを伝達する絶縁受渡部１８４とにより構成されたシリコンＤＡＡ（Ｄａｔａ  Ａｃｃｅｓｓ  Ａｒｒａｎｇｅｍｅｎｔ）を備える。
【００２８】
端子Ｌ１，Ｌ２は、回線２に接続される端子である。一対の端子Ｌ１，Ｌ２の間には、バリスタ等の雷サージ保護素子１８１が接続されるとともに、端子Ｌ１，Ｌ２は、それぞれダイオードブリッジ１８２の端子Ａ，Ｂに接続される。ダイオードブリッジ１８２のプラス側の端子Ｃおよびマイナス側の端子Ｄは、回線網側回路１８３内の回線電圧検出部１８３１に接続される。回線電圧検出部１８３１は、回線２の回線電圧を検出する。回線電圧検出部１８３１の検出出力は、回線網側回路１８３内の回線側絶縁Ｉ／Ｆ部１８３４に接続される。また、ダイオードブリッジ１８２の端子Ｃ，Ｄは、回線網側回路１８３内のハイブリットネットワーク１８３２に接続される。ハイブリットネットワーク１８３２は、インピーダンス切換部１８３５と直流抵抗切換部１８３６とを内蔵している。ハイブリットネットワーク１８３２は、ＡＤ／ＤＡコンバータ部１８３３および回線側絶縁Ｉ／Ｆ部１８３４に接続される。ＡＤ／ＤＡコンバータ部１８３３は、回線側絶縁Ｉ／Ｆ部１８３４に接続される。回線側絶縁Ｉ／Ｆ部１８３４は、絶縁受渡部１８４に接続される。絶縁受渡部１８４は、制御部側回路１８５内の制御部側絶縁Ｉ／Ｆ部１８５１に接続される。制御部側絶縁Ｉ／Ｆ部１８５１は、制御部側回路１８５内のＴＸ／ＲＸＩＦ部１８５２および制御Ｉ／Ｆ部１８５３に接続される。ＴＸ／ＲＸＩＦ部１８５２は、モデム１７に接続され、制御Ｉ／Ｆ部１８５３は、制御部２２に接続される。
【００２９】
図４は、ハイブリットネットワーク１８３２の構成を示す図である。ハイブリットネットワーク１８３２は、インピーダンス切換部１８３５と直流抵抗切換部１８３６とを含む。インピーダンス切換部１８３５は、低インピーダンス１８３５１および高インピーダンス１８３５２を有し、制御部２２（具体的には後述のインピーダンス切換指示部２２１）からの制御により、低インピーダンス１８３５１か高インピーダンス１８３５２かにインピーダンスの切り替えを行う。直流抵抗切換部１８３６は、低直流抵抗１８３６１および高直流抵抗１８３６２を有し、制御部２２（具体的には後述の直流抵抗切換部２２２）からの制御により、低直流抵抗１８３６１か高直流抵抗１８３６２かに直流抵抗の切り替えを行う。
【００３０】
図５は、制御部２２の構成を示すブロック図である。図５において、制御部２２は、インピーダンス切換指示部（Ｚ指示部）２２１、直流抵抗切換指示部（ＤＣＲ指示部）２２２、監視部２２３、判断部２２４、および電源オフ部２２５を有する。
【００３１】
インピーダンス切換指示部２２１は、インピーダンスの切換指示をインピーダンス切換部１８３５に出力し、直流抵抗切換指示部２２２は、直流抵抗の切換指示を直流抵抗切換部１８３６に出力する。
【００３２】
監視部２２３は、通信装置１に対する操作を監視する。そして、監視部２２３は、通信装置１に対する操作が無い状態の継続時間、通信装置１に対する操作を待つ待機状態の継続時間、または通信装置１が稼働していない非稼働状態の継続時間を計測する。例えば、監視部２２３は、前回の動作（またはジョブ）の終了時または前回の操作時からの経過時間を計測する。通信装置１に対する操作としては、通信装置１の操作部１３に対するユーザからの操作や、回線２等の通信経路を介したユーザまたは外部の装置からの操作や指示（例えば印刷要求）などが挙げられるが、ここでは操作部１３に対するユーザからの操作である。
【００３３】
判断部２２４は、通信部１６による回線２とのデータの授受のための所定の設定がなされているか否かを判断する。具体的には、本実施の形態では、判断部２２４は、情報登録部１９１に情報（例えば宛先情報）が登録されているか否かを判断する。
【００３４】
電源オフ部２２５は、所定の電源オフ条件が成立した場合に、通信部１６への電源供給をオフする。電源オフ条件は、具体的には、ユーザからの電源オフ操作によらずに（自動的に）通信部１６への電源供給をオフするための条件であり、本例では、通信装置１に対する操作が一定時間無いことである。すなわち、本例では、電源オフ部２２５は、通信装置１に対する操作が一定時間無い場合に、通信部１６への電源供給をオフする。ただし、電源オフ条件は、これに限られず、現在時刻が所定時刻になったことなど、他の条件であってもよい。電源オフ部２２５は、具体的には、監視部２２３により計測される時間が所定時間に達した場合に、電源部２１を制御して、電源部２１から通信部１６への電源供給をオフする。通信部１６への電源供給をオフするとは、通信部１６への電源供給を完全にオフする場合のほか、通信部１６への電源供給を実質的にオフする場合を含んでもよい。すなわち、電源オフ部２２５は、通信部１６の通信機能がオフとなる程度または通信部１６が通信不能となる程度に実質的に電源供給をオフしてもよい。また、電源オフ部２２５は、所定の電源オフ条件が成立した場合に、通信装置１のすべての機能または実質的にすべての機能がオフとなるオフモードに移行してもよい。オフモードでは、電源部２１から通信装置１の各部への電源供給がオフされ、通信装置１全体の消費電力は例えば０．５Ｗ以下である。
【００３５】
ただし、電源オフ部２２５は、判断部２２４により上記所定の設定がなされていると判断された場合には、上記電源供給のオフを行わない。すなわち、電源オフ部２２５は、所定の電源オフ条件が成立した場合であっても、判断部２２４により上記所定の設定がなされていると判断された場合には、上記電源供給を維持する。本実施の形態では、電源オフ部２２５は、判断部２２４により情報登録部１９１に情報が登録されていると判断された場合には、上記電源供給のオフを行わない。
【００３６】
図６は、実施の形態１における制御部２２の動作を示すフローチャートである。以下、図６を参照して、制御部２２の動作を説明する。図６の処理は、通信装置１が待機状態（待機モード）にある場合に実行される。
【００３７】
通信装置１の待機状態において、制御部２２は、ユーザからの操作を監視し、ユーザからの操作が有るか否かを判断する（Ｓ１１）。
【００３８】
ユーザからの操作が有ると判断された場合（Ｓ１１：ＹＥＳ）、制御部２２は、通信装置１を待機状態から動作モードに移行させ、当該ユーザからの操作に従ってファクシミリ送信やコピーなどの各種動作を行い（Ｓ１２）、当該動作が終了すると通信装置１を待機状態に戻し、ステップＳ１１に戻る。
【００３９】
一方、ユーザからの操作が無いと判断された場合（Ｓ１１：ＮＯ）、制御部２２は、待機状態で予め決められた時間が経過したか否か、すなわちユーザからの操作が一定時間無いか否かを判断する（Ｓ１３）。具体的には、制御部２２は、監視部２２３により計測される時間が予め決められた時間を経過したか否かを判断する。
【００４０】
予め決められた時間が経過したと判断された場合（Ｓ１３：ＹＥＳ）、制御部２２は、ステップＳ１４に進み、経過していないと判断された場合には（Ｓ１３：ＮＯ）、ステップＳ１１に戻る。
【００４１】
ステップＳ１４では、制御部２２は、情報登録部１９１に宛先情報が登録されているか否かを判断する。
【００４２】
情報登録部１９１に宛先情報が登録されていないと判断された場合（Ｓ１４：ＮＯ）、制御部２２は、回線の接続がされていない（回線接続無し）と判断し、通信装置１を待機状態からオフモードへ移行させ（Ｓ１５）、処理を終了する。
【００４３】
一方、情報登録部１９１に宛先情報が登録されていると判断された場合には（Ｓ１４：ＹＥＳ）、制御部２２は、回線の接続がされている（回線接続有り）と判断し、通信装置１をオフモードへは移行させず、待機状態（すなわち電源オンの状態）を継続させる（Ｓ１６）。
【００４４】
以上説明した本実施の形態１によれば、下記（１）〜（２）の効果が得られ得る。
（１）本実施の形態では、制御部は、通信部による回線とのデータの授受のための所定の設定がなされているか否かを判断し、所定の設定がなされていると判断された場合には、所定の電源オフ条件が成立した場合における通信部への電源供給のオフを行わない。このため、本実施の形態によれば、特別なユーザの操作を必要とせずに、上記電源供給のオフ（すなわち自動的な電源のオフ）による受信不能を回避することができる。具体的には、自動的に電源がオフにならない設定をユーザがあらためて行う場合と比較して、ユーザの操作が容易になる。
【００４５】
（２）一つの態様では、制御部は、情報登録部に情報が登録されているか否かを判断し、情報が登録されていると判断された場合には、上記電源供給のオフを行わない。本態様によれば、通信部が使用されているかどうか（または通信部が回線に接続されているかどうか）を簡単に判断することができ、電源供給のオフをしないようにすべき状態にあるかどうかを簡単に判断することができる。
実施の形態２．
以下、実施の形態２に係る通信装置について説明する。本実施の形態２に係る通信装置は、上記実施の形態１に係る通信装置１に対し、判断部の処理が異なっており、その他の部分については略同様である。以下の説明では、実施の形態１と同様の部分については説明を省略または簡略化し、実施の形態１と同一または対応する要素については同一の符号を付す。
【００４６】
本実施の形態では、判断部２２４は、通信部１６と回線２との間の接続（具体的には電気的な接続）がなされているか否かを判断する。具体的には、判断部２２４は、回線電圧検出部１８３１により回線電圧が検出されるか否かを判断する。
【００４７】
電源オフ部２２５は、判断部２２４により通信部１６と回線２との間の接続がなされていると判断された場合には、電源供給のオフを行わない。すなわち、電源オフ部２２５は、所定の電源オフ条件が成立した場合であっても、判断部２２４により上記接続がなされていると判断された場合には、電源供給を維持する。
【００４８】
図７は、実施の形態２における制御部２２の動作を示すフローチャートである。以下、図７を参照して、制御部２２の動作を説明する。図７の処理は、通信装置１が待機状態（待機モード）にある場合に実行される。
【００４９】
通信装置１の待機状態において、制御部２２は、ユーザからの操作を監視し、ユーザからの操作が有るか否かを判断する（Ｓ２１）。
【００５０】
ユーザからの操作が有ると判断された場合（Ｓ２１：ＹＥＳ）、制御部２２は、通信装置１を待機状態から動作モードに移行させ、当該ユーザからの操作に従って各種動作を行い（Ｓ２２）、当該動作が終了すると通信装置１を待機状態に戻し、ステップＳ２１に戻る。
【００５１】
一方、ユーザからの操作が無いと判断された場合（Ｓ２１：ＮＯ）、制御部２２は、待機状態で予め決められた時間が経過したか否か、すなわちユーザからの操作が一定時間無いか否かを判断する（Ｓ２３）。
【００５２】
予め決められた時間が経過したと判断された場合（Ｓ２３：ＹＥＳ）、制御部２２は、ステップＳ２４に進み、経過していないと判断された場合には（Ｓ２３：ＮＯ）、ステップＳ２１に戻る。
【００５３】
ステップＳ２４では、制御部２２は、回線電圧検出部１８３１の検出結果を確認し、回線電圧が有るか否かを判断する。
【００５４】
回線電圧が無いと判断された場合（Ｓ２４：ＮＯ）、制御部２２は、回線の接続がされていない（回線接続無し）と判断し、通信装置１を待機状態からオフモードへ移行させ（Ｓ２５）、処理を終了する。
【００５５】
一方、回線電圧が有ると判断された場合には（Ｓ２４：ＹＥＳ）、制御部２２は、回線の接続がされている（回線接続有り）と判断し、通信装置１をオフモードへは移行させず、待機状態（または電源オンの状態）を継続させる（Ｓ２６）。
【００５６】
以上説明した本実施の形態２によれば、上記（１）の効果の他に、下記（３）〜（４）の効果が得られ得る。
（３）本実施の形態では、制御部は、通信部と回線との間の接続がなされているか否かを判断し、接続がなされていると判断された場合には、所定の電源オフ条件が成立した場合における通信部への電源供給のオフを行わない。このため、本実施の形態によれば、電源供給のオフをしないようにすべき状態にあるかどうかをより適切に判断することができる。
【００５７】
（４）一つの態様では、制御部は、回線電圧が検出されるか否かを判断し、回線電圧が検出されると判断された場合には、上記電源供給のオフを行わない。本態様によれば、通信部と回線との間の接続がなされているか否かを確実または簡単に判断することができる。
【００５８】
なお、以上説明した実施の形態に係る制御部は、電子回路などのハードウェア資源のみにより実現されてもよいし、ハードウェア資源とソフトウェアとの協働により実現されてもよい。ハードウェア資源とソフトウェアとの協働により実現される場合、制御部は、例えばコンピュータプログラムがコンピュータにより実行されることによって実現され、より具体的には、ＲＯＭ等の記録媒体に記録されたコンピュータプログラムが主記憶装置に読み出されて中央処理装置（ＣＰＵ）により実行されることによって実現される。コンピュータプログラムは、光ディスク等のコンピュータ読み取り可能な記録媒体に記録されて提供されてもよいし、インターネット等の通信回線を介して提供されてもよい。
【００５９】
また、本発明は、上記実施の形態に限定されるものではなく、本発明の要旨を逸脱しない範囲内において種々の態様で実施することができる。
【００６０】
例えば、上記の説明では、通信装置としてファクシミリ機能付きの複合機を例示したが、通信装置は、例えば電話機能付きの複合機など、他の種類の装置であってもよい。
【００６１】
また、上記の説明では、回線として電話回線を例示したが、回線は、例えばインターネット回線等のネットワーク回線など、他の種類の回線であってもよい。また、回線は、有線回線に限られず、無線回線であってもよい。
【符号の説明】
【００６２】
１  通信装置、  ２  回線、  ３  外部電源、  １０  読取部、  １１  印刷部、  １２  表示部、  １３  操作部、  １４  画メモリ、  １５  符号化／復号化部、  １６  通信部、  １７  モデム、  １８  回線Ｉ／Ｆ部、  １９  不揮発性記憶部、  １９１  情報登録部、  ２０  ＲＡＭ、  ２１  電源部、  ２２  制御部、  ２３  データバス、  ２２１  インピーダンス切換指示部（Ｚ指示部）、  ２２２  直流抵抗切換指示部（ＤＣＲ指示部）、  ２２３  監視部、  ２２４  判断部、  ２２５  電源オフ部、  １８３１  回線電圧検出部。
【図１】
0005596723.tif 000002
【図２】
0005596723.tif 000003
【図３】
0005596723.tif 000004
【図４】
0005596723.tif 000005
【図５】
0005596723.tif 000006
【図６】
0005596723.tif 000007
【図７】
0005596723.tif 000008